(57)【要約】      （修正有）【課題】高さ調整駒を取り付けることにより、様々な形状や高さのシンク縁に合わせて設置でき、また、シンクへの容易な取り外しや収納の省スペース化を実現するまな板用スライド式受け棒を提供する。【解決手段】棒状のスライド式受け棒１と内部スライド棒２、高さ調整駒４等で構成したことにより、いろいろなタイプのシンク縁１１に合わせて、長さや高さの調節を可能とした。また、シンク１０への取り外しも簡便にでき、収納時もスペースをとらないので便利である。調理台１２の端上場とスライド式受け棒１の上に、まな板１３を載せ、水平になるように高さ調整駒４の段差をシンク縁１１に合わせ、高さ調整駒４とスライド式受け棒１、内部スライド棒２の各々の高さを調節し、高さ調整駒固定ネジで締めて固定する。【選択図】図１
0003161984.tif 000002
【実用新案登録請求の範囲】
【請求項１】
様々なタイプのシンク縁に合わせられるよう、高さ調整駒（４）に段差を設け、シンク縁（１１）との接触面形状や高さに対応できることを特徴とする、まな板用スライド式受け棒。
【請求項２】
請求項１に記載した装置は、シンク縁（１１）に合わせた高さ調整駒（４）とスライド式受け棒（１）、内部スライド棒（２）の各々の両端との高さを調節し、高さ調整駒固定ネジ（７）で締めて固定することにより、高さの微調整を可能としたことを特徴とする、まな板用スライド式受け棒。
【請求項３】
請求項１に記載した装置は、棒状のスライド式受け棒（１）と内部スライド棒（２）の組み合わせによって、シンク縁（１１）の奥行きに応じた長さの調整を可能にしたことを特徴とする、まな板用スライド式受け棒。
【請求項４】
請求項１に記載した装置は、スライド式受け棒（１）と内部スライド棒（２）、高さ調整駒（４）等で構成したことにより、設置や取り外しが容易にできるようにしたことを特徴とする、まな板用スライド式受け棒。
【考案の詳細な説明】
【技術分野】
【０００１】  本考案は、まな板用スライド式受け棒の装置に関する。
【背景技術】
【０００２】  従来は、幅の広いタイプや複雑な形状のまな板受けがあった。
【特許文献１】特開平１０−２３９８１号公報
【考案の開示】
【考案が解決しようとする課題】
【０００３】  しかしながら、従来のまな板受けは、高さ調節ができず、設置できるシンクの種類が限られていた。
また、従来のまな板受けは、幅が広かったり、大きめな物が多く、収納するときも不便であった。
【課題を解決するための手段】
【０００４】  本考案は、まな板用スライド式受け棒装置において、高さ調整駒を取り付けることにより、様々な形状や高さのシンク縁に合わせて設置することができる。
また、シンプルな棒状にしたことにより、収納時もスペースをとらないので便利である。
これらにより、前記課題を解決するものである。
【考案の効果】
【０００５】  本考案に係るまな板用スライド式受け棒装置は、調節可能なスライド式受け棒（１）と内部スライド棒（２）で構成し、さらに、高さ調整駒（４）を取り付けることにより、容易に様々なタイプのシンクへの取り外しができるようになった。
【考案を実施するための最良の形態】
【０００６】  図１に示すように、当該装置は、棒状のスライド式受け棒（１）と内部スライド棒（２）、高さ調整駒（４）等で構成してあり、シンク縁（１１）の手前縁と向こう縁に容易に渡し設置することができる。
また、使用に応じて、取り外しが容易にできるようにした。【０００７】  図２に示すように、当該装置の高さ調整駒（４）に段差を設けてあるので、いろいろなシンク縁（１１）との接触面の形状や高さに応じて適宜合わせることが可能である。【０００８】  図２に示すように、当該装置をシンク縁（１１）の向こう縁に合わせるため、スライド式受け棒（１）と内部スライド棒（２）をスライドさせ、スライド固定ネジ（３）で締めて固定し、シンク縁（１１）の手前縁と向こう縁に渡すことにより、容易に設置可能にした。【０００９】  調理台（１２）の端上場とスライド式受け棒（１）の上に、まな板（１３）を載せ、水平になるように高さ調整駒（４）の段差をシンク縁（１１）に合わせ、高さ調整駒（４）とスライド式受け棒（１）、内部スライド棒（２）の各々の高さを調節し、高さ調整駒固定ネジ（７）で締めて固定する。【００１０】  図２に示すように、スライド式受け棒（１）と内部スライド棒（２）にそれぞれ高さ調整駒（４）との補助ネジ穴（６）を設けてあるので、この補助ネジ穴（６）を利用して、高さ調整をし、高さ調整駒固定ネジ（７）で締めて固定することができる。【００１１】  図２に示すように、当該装置をシンク（１０）に設置した際、横すべり防止のためにシンク縁（１１）との接触部分にすべり止め（５）を貼り付けた。【００１２】  図３に示すように、高さ調整駒（４）を正面から見た場合、高さ調整駒固定ネジ（７）は接触面を固定させるネジである。
また、高さ調整駒固定ネジ頭溝（９）は、高ぎ調整駒（４）をスライドさせた際、高さ調整駒固定ネジ頭が邪魔にならないように設けた溝である。【００１３】  図４に示すように、高さ調整駒（４）を斜めから見た場合、高さ調整駒（４）の段差部分にすべり止め（５）を貼り付けたことにより、シンク縁上の横すべりを防ぐことができる。
【図面の簡単な説明】
【００１４】
【図１】  本考案に係るまな板用スライド式受け棒の平面図である。
【図２】  本考案に係るまな板用スライド式受け棒の側面断面図である。
【図３】  本考案に係るまな板用スライド式受け棒高さ調整駒の正面図である。
【図４】  本考案に係るまな板用スライド式受け棒高さ調整駒の斜視図である。
【符号の説明】
【００１５】  １    スライド式受け棒
２    内部スライド棒
３    スライド固定ネジ
４    高さ調整駒
５    すべり止め
６    補助ネジ穴
７    高さ調整駒固定ネジ
８    高さ調整駒スライド溝穴
９    高さ調整駒固定ネジ頭溝
１０    シンク
１１    シンク縁
１２    調理台
１３    まな板
【図１】
0003161984.tif 000003
【図２】
0003161984.tif 000004
【図３】
0003161984.tif 000005
【図４】
0003161984.tif 000006
【手続補正書】
【提出日】平成22年5月26日(2010.5.26)
【手続補正１】
【補正対象書類名】実用新案登録請求の範囲
【補正対象項目名】全文
【補正方法】変更
【補正の内容】
【実用新案登録請求の範囲】
【請求項１】
棒状のスライド式受け棒（１）と内部スライド棒（２）をスライドするように組み合わせ、さらに、その小口面に、段差を設けた高さ調整駒（４）を取り付けることにより、シンク縁（１１）の形状や高さに合わせて容易に設置や取り外しができ、また、使用しない時は狭いスペースにも収納ができることを特徴とするまな板用スライド式受け棒。
【請求項２】
請求項１に記載したまな板用スライド式受け棒において、棒状のスライド式受け棒（１）と内部スライド棒（２）をスライドするように組み合わせ、シンク縁（１１）の奥行きに応じた長さに調整することを可能とし、さらに、スライド固定ネジ（３）で締めて固定することを特徴とする請求項１記載のまな板用スライド式受け棒。
【請求項３】
請求項１に記載したまな板用スライド式受け棒において、高さ調整駒（４）に段差を設けたことにより、シンク縁（１１）の形状に合わせて設置でき、また、高さ調整駒スライド溝穴（８）を設けたことで、上下にスライドさせることができ、シンク縁（１１）の高さに合わせた微調整を可能とし、さらに、高さ調整駒固定ネジ（７）で締めて固定することを特徴とする請求項１記載のまな板用スライド式受け棒。